(57)【要約】  本発明は、ユーザ通信装置へのページングを実行するために通信ネットワーク内の通信ネットワークセルグループを決定するように構成される通信ネットワーク装置および方法に関する。通信ネットワークセルグループはユーザ通信装置により提供される隣接セル測定の利用により決定される。本発明はまた、対応するように構成されたコンピュータプログラム製品および対応するように構成されるコンピュータ可読記録媒体に関する。【選択図】図３
2019520740.tif 000002
【特許請求の範囲】
【請求項１】
ユーザ通信装置に対するページングを実行するために、通信ネットワーク内の通信ネットワークセルグループを決定するように構成され、
前記通信ネットワークセルグループは、前記ユーザ通信装置により提供される隣接セル測定の利用により決定される、
通信ネットワーク装置。
【請求項２】
前記少なくとも１の隣接セル測定の利用は、前記少なくとも１の隣接セル測定の複数の隣接セルを前記通信ネットワークセルグループに追加することを含む、
請求項１に記載の通信ネットワーク装置。
【請求項３】
前記ユーザ通信装置への少なくとも１のもしくは所定数のページングイベントが成功した通信ネットワークセルとしての以前に実行されたページングイベント履歴に存在すること、
前記ユーザ通信装置の移動履歴に従って、前記ユーザ通信装置が位置すると予想される通信ネットワークセルを表すこと、
前記ユーザ通信装置が静止装置である場合、最後に到達可能であった前記ユーザ通信装置が経由する前記通信ネットワークセルから最新のセルまでの距離が、所定の最大距離閾値よりも小さいこと、
前記ユーザ通信装置が非静止装置である場合、前記通信ネットワークセルから前記最新のセルまでの距離が、所定の最小距離閾値よりも大きいこと、
前記ユーザ通信装置の推定位置と重なること、
の少なくとも１つを満たす前記通信ネットワークセルを、前記通信ネットワークセルグループに追加することにより前記通信ネットワークセルグループを決定するように構成される、請求項１または２に記載の通信ネットワーク装置。
【請求項４】
前記通信ネットワーク装置は、前記通信ネットワークセルグループの複数の通信ネットワークセルをランク付けるように構成される、請求項１〜３のいずれか１項に記載の通信ネットワーク装置。
【請求項５】
前記ユーザ通信装置により提供される前記少なくとも１の隣接セル測定、
以前に実行された前記ページングのイベント履歴、
前記ユーザ通信装置の移動履歴、
最新のセルまでの距離、
前記ユーザ通信装置の推定位置との重複の存在、
のうちの少なくとも１つに従って、前記通信ネットワークセルグループの複数の通信ネットワークセルをランク付けるように構成される、
請求項１〜４のいずれか１項に記載の通信ネットワーク装置。
【請求項６】
前記少なくとも１の隣接セル測定は、隣接セルのグループの各々の前記隣接セルについて、対応する隣接セルにおける前記ユーザ通信装置の信号の信号強度もしくは前記対応する隣接セルにおける前記ユーザ通信装置の信号の測定された信号品質の一方または双方を含み、
前記通信ネットワーク装置は、前記対応する信号強度もしくは前記対応する信号品質の一方または双方に従って前記通信ネットワークセルグループの複数の通信ネットワークセルをランク付けるように構成される、
請求項４または５に記載の通信ネットワーク装置。
【請求項７】
前記通信ネットワークセルグループのさらなる通信ネットワークセルのさらなる信号強度よりも高い信号強度を有する前記通信ネットワークセルグループの前記通信ネットワークセルは、さらなる前記通信ネットワークセルよりも高いランク付けを受け、
もしくは、
前記通信ネットワークセルグループのさらなる通信ネットワークセルのさらなる信号品質よりも高い信号品質を有する前記通信ネットワークセルグループの前記通信ネットワークセルは、さらなる前記通信ネットワークセルよりも高いランク付けを受ける、
の一方または双方である、
請求項６に記載の通信装置。
【請求項８】
前記通信ネットワーク装置は、前記通信ネットワークセルグループ内で最も高いランクを有する、前記通信ネットワークセルグループの通信ネットワークセル内の前記ユーザ通信装置への前記ページングを開始するように構成される、請求項４から７のいずれか１項に記載の通信ネットワーク装置。
【請求項９】
前記通信ネットワーク装置は、前記通信ネットワークセルグループの前記通信ネットワークセル内への前記ページングが失敗する場合、前記通信ネットワークセルグループの中で次に低いランクを有する、前記通信ネットワークセルグループ内のさらなる通信ネットワークセル内の前記ユーザ通信装置への前記ページングを継続するように構成される、
請求項８に記載の通信ネットワーク装置。
【請求項１０】
前記通信ネットワーク装置は、前記ユーザ通信装置から前記少なくとも１の隣接セル測定を受信するように構成される、請求項１〜９のいずれか１項に記載の通信ネットワーク装置。
【請求項１１】
前記通信ネットワーク装置は、前記通信ネットワークのセルクラスタもしくは前記通信ネットワークの追跡領域の一方または双方から、通信ネットワークセルを選択することにより、通信ネットワークセルグループを決定するように構成され、
前記追跡領域は、複数の通信ネットワークセルを含む、
請求項１〜１０のいずれか１項に記載の通信ネットワーク装置。
【請求項１２】
前記ページングは、無線アクセスネットワークに基づくページングであり、
前記通信ネットワークは、ロングタームエボリューションネットワークまたはロングタームエボリューションネットワークアーキテクチャに基づく通信ネットワークである、または、前記通信ネットワーク装置は、基地局もしくはｅｖｏｌｖｅｄ  Ｎｏｄｅ  Ｂである、の一方または双方である、
請求項１〜１１のいずれか１項に記載の通信ネットワーク装置。
【請求項１３】
ユーザ通信装置へのページングを実行するための通信ネットワーク内の通信ネットワークセルグループを決定することを含み、
前記通信ネットワークセルグループは、前記ユーザ通信装置により提供される少なくとも１の隣接セル測定の利用により決定される、
方法。
【請求項１４】
コンピューティング装置に請求項１３に記載の方法のステップを実行させるように構成されるコンピュータ可読プログラムコードを含む、コンピュータプログラム製品。
【請求項１５】
コンピューティング装置に請求項１３に記載の方法のステップを実行させるように構成されるコンピュータ可読プログラムコードを含むコンピュータプログラム製品を格納するように構成される、コンピュータ可読記録媒体。
【発明の詳細な説明】
【技術分野】
【０００１】
本発明は、通信ネットワーク内のユーザ通信装置へのページングを実行するように構成される通信ネットワーク装置および方法に関する。また、本発明は、対応するコンピュータプログラム製品および対応するコンピュータ可読記録媒体に関する。
【背景技術】
【０００２】
ページングは、ユーザ通信装置を起動するために通信ネットワークにおいて頻繁に利用される。例えば、ユーザ通信装置は、軽接続モード、ドーマントモード、アイドルモード、スリープモード、ハイバネーションモード、スタンバイモード、または他の任意の省電力モードにあることができる。その起動は、ページングメッセージをユーザ通信装置に送信することによって、すなわち、ページングをユーザ通信装置に実行することにより実行される。しかし、ユーザ通信装置は、起動前は軽接続モード、ドーマントモード、アイドルモード、スリープモード、ハイバネーションモード、スタンバイモード、または他の省電力モードであるため、通信セル内のその位置は知られていない。通信ネットワークは、複数のセルを含む。したがって、ユーザ通信装置が配置されているセル、もしくは、当該セル介してユーザ通信装置に到達可能なセル、の一方または双方、すなわちユーザ通信装置へのデータもしくは信号の一方または双方の送信を実行することができるセルも知られていない。ユーザ装置が到達可能であるセルを発見するために、例えばＬＴＥ（Ｌｏｎｇ  Ｔｅｒｍ  Ｅｖｏｌｕｔｉｏｎ）ネットワークで実施されるような現在の技術に従って、複雑で時間のかかるシグナリングプロセスまたは動作が実行されなければならない。
【発明の概要】
【発明が解決しようとする課題】
【０００３】
故に、ユーザ通信装置を起動するための、すなわちユーザ通信装置へのページングを実行するための、改良されたアプローチが望まれる。
好ましくは、複雑さを軽減し、ユーザ通信装置へのページングの効率を高めることが望ましい。
【課題を解決するための手段】
【０００４】
特に、本発明は、ユーザ通信装置へのページングを実行するために、通信ネットワーク内の通信ネットワークセルグループを決定するように構成される通信ネットワーク装置に関し、当該通信ネットワークセルグループは、ユーザ通信装置によって提供される隣接セル測定を利用することにより決定される。
【０００５】
さらに、本発明は、ユーザ通信装置へのページングを実行するために通信ネットワーク内の通信ネットワークセルグループを決定することを含む方法に関し、当該通信ネットワークセルグループは、ユーザ通信装置により提供される少なくとも１の隣接セル測定の利用により決定される。当該方法は、概して、上述したように、また以下でより詳細に説明するように、通信ネットワークデバイスにより実行される。従って、当該方法は、通信ネットワークデバイスにより実行され、本願に記載される一般のステップを含む。
【０００６】
通信ネットワークセルグループの決定は、ページングエリアの決定とも呼ばれ得て、当該ページングエリアは、通信ネットワークセルのグループを含み、その場合、ユーザ通信装置の到達可能性は予想されるかまたは仮定される。すなわち、ユーザ通信装置がデータもしくは信号の一方もしくは双方を受信することができ、結果としてそれぞれ当該グループまたはページングエリアのセルのうちの少なくとも１つに対しページングメッセージを受信することができる、と所定の確率で予想または想定される。
【０００７】
本発明の一実施形態によれば、少なくとも１の隣接セル測定の利用は、通信ネットワークセルグループに、少なくとも１の隣接セル測定の隣接セルを追加することを含む。
【０００８】
本発明の一実施形態によれば、通信ネットワークデバイスは、通信ネットワークセルグループに、ユーザ通信装置への少なくとも１つまたは所定数のページングイベントが成功した通信ネットワークセルとしての以前に実行されたページングイベント履歴に存在すること、ユーザ通信装置の移動履歴に従ってユーザ通信装置が存在すると予想される通信ネットワークセルを表すこと、ユーザ通信装置が静止装置である場合、通信ネットワークセルからユーザ通信装置が最後に到達可能であった最新のセルまでの距離が、所定の最大距離閾値よりも小さいこと、ユーザ通信装置が非静止装置である場合、通信ネットワークセルから最新のセルまでの距離が、所定の最小距離閾値よりも大きいこと、ユーザ通信装置の推定位置と重なること、の少なくとも１つを満たす通信ネットワークセルを追加することによって、通信ネットワークセルグループを決定するように構成される。「最も最近に到達可能」という表現は、ユーザ通信装置との最近または最後の通信（例えばそこからのもしくはそれへの一方または双方の送信）が実行された通信ネットワーク内のセルを示すために利用される。
【０００９】
本発明の一実施形態によれば、通信ネットワーク装置は、通信ネットワークセルグループの通信ネットワークセルをランク付けるように構成される。ランク付けは、ページングの成功につながると予想されるセルがより高いランク付けを受けるようにセルをソートすることを可能にし、ページングを実行するために最初に扱われる。このようにして、ページングの効率は、要求されるシグナリングが減少し、またページングの成功が加速されることにより、向上する。
【００１０】
本発明の一実施形態によれば、通信ネットワーク装置は、ユーザ通信装置により提供される少なくとも１の隣接セル測定、以前に実行されたページングイベント履歴、ユーザ通信装置の移動履歴、最新のセルまでの距離、ユーザ通信装置の推定位置との重複の存在、の少なくとも１つに従って、通信ネットワークセルグループの通信ネットワークセルをランク付けるように構成される。
【００１１】
本発明の一実施形態によれば、少なくとも１の隣接セル測定は、隣接セルグループの各々の隣接セルについて、対応する隣接セルにおけるユーザ通信装置の信号の信号強度または対応する隣接セルにおけるユーザ通信装置の信号の測定信号品質の一方もしくは双方を含む。
【００１２】
本発明の一実施形態によれば、通信ネットワーク装置は、対応する信号強度もしくは対応する信号品質の一方または双方に従って通信ネットワークセルグループの通信ネットワークセルをランク付けるように構成される。
【００１３】
本発明の一実施形態によれば、通信ネットワークセルグループのさらなる通信ネットワークセルのさらなる信号強度よりも高い信号強度を有する、通信ネットワークセルグループの通信ネットワークセルは、さらなる通信ネットワークセルよりも高いランク付けを受け、通信ネットワークセルグループのさらなる通信ネットワークセルのさらなる信号品質よりも高い信号品質を有する、通信ネットワークセルグループの通信ネットワークセルは、さらなる通信ネットワークセルよりも高いランク付けを受ける。
【００１４】
本発明の一実施形態によれば、通信ネットワーク装置は、通信ネットワークセルグループの中で最高のランクを有する通信ネットワークセルグループの通信ネットワークセル内のユーザ通信装置へのページングを開始するように構成される。
【００１５】
本発明の一実施形態によれば、通信ネットワーク装置は、通信ネットワークセルグループの通信ネットワークセル内のページングが失敗した場合、ひとつ下のランク鵜の通信ネットワークセルグループ内で、通信ネットワークセルグループのさらなる通信ネットワークセル内のユーザ通信装置へのページングを継続するように構成される。
【００１６】
本発明の一実施形態によれば、通信ネットワーク装置は、ユーザ通信装置から少なくとも１の隣接セル測定を受信するように構成される。
【００１７】
本発明の一実施形態によれば、通信ネットワーク装置は、通信ネットワークのセルクラスタもしくは通信ネットワークの複数の通信ネットワークセルを含む追跡エリアの一方または双方から通信ネットワークセルを選択することにより通信ネットワークセルグループを決定するように構成される。
【００１８】
本発明の一実施形態によれば、ページングは、無線アクセスネットワークベースのページングである。本発明の一実施形態によれば、通信ネットワークは、ＬＴＥ（Ｌｏｎｇ−ｔｅｒｍ  Ｅｖｏｌｕｔｉｏｎ）ネットワークもしくはまたはＬＴＥネットワークアーキテクチャに基づく通信ネットワークである。本発明の一実施形態によれば、通信ネットワーク装置は、基地局またはｅＮｏｄｅＢ（ｅｖｏｌｖｅｄ  Ｎｏｄｅ  Ｂ）である。
【００１９】
本発明はまた、コンピューティングデバイスに、上述してまた以下より詳細に説明される方法のステップを実行させるように構成されるコンピュータ可読プログラムコードを含むコンピュータプログラム製品にも関する。一実施形態によれば、コンピュータ可読プログラムコードはコンピュータ可読媒体に組み込まれる。さらなる実施形態によれば、コンピュータ可読媒体は非一過性コンピュータ可読媒体である。一実施形態によれば、コンピューティングデバイスは、コンピュータ可読プログラムコードを実行するように構成されるプロセッサまたは任意の他のコンピュータである。
【００２０】
また、本発明は、上記のコンピュータプログラムを格納するためのコンピュータ読み取り可能な記録媒体に関する。一実施形態によれば、コンピュータ可読媒体は非一過性コンピュータ可読媒体である。
【００２１】
いくつかの実施形態は、所定の通信ネットワークもしくは通信プロトコルの一方または双方の文脈に記載されていて、本明細書で開示される技術は、他のネットワーク技術、すなわち通信ネットワークもしくは通信プロトコルの一方または双方にも対応して用いられ得る。
【００２２】
以下では、本発明の一実施形態を添付の図面を参照しながら説明する。図面において、同一または類似の符号は、同一または類似の構成要素を示す。
【図面の簡単な説明】
【００２３】
【図１】図１は、本発明の一実施形態によるユーザ通信装置へのページングが実行される複数のセルを有する通信ネットワークを示す。
【図２】図２は、本発明の一実施形態によるユーザ通信装置へのページング（すなわち、ページングメッセージの送信）を実行するように構成される通信ネットワーク装置を示す。
【図３】図３は、本発明の一実施形態によるページングを実行するために実行されるステップのフローチャートを示す。
【図４ａ】図４ａは、本発明の一実施形態によるユーザ通信装置へのページングを実行するための通信ネットワークセルグループを決定するために実行されるステップのフローチャートを示す。
【図４ｂ】図４ｂは、本発明の一実施形態によるユーザ通信装置へのページングを実行するための通信ネットワークセルグループを決定するために実行されるステップのフローチャートを示す。
【図５ａ】図５ａは、本発明の一実施形態による通信ネットワークがＬＴＥネットワークのアーキテクチャに基づいているときに、ユーザ通信装置へのページングに関して実行されるステップのフローチャートを示す。
【図５ｂ】図５ｂは、本発明の一実施形態による通信ネットワークがＬＴＥネットワークのアーキテクチャに基づいている場合のユーザ通信装置へのページングに関して実行されるステップのフローチャートを示す。
【図６】図６は、本発明の一実施形態による通信ネットワークがＬＴＥネットワークのアーキテクチャに基づいている場合のユーザ通信装置へのページングに関して実行されるステップのフローチャートを示す。
【発明を実施するための形態】
【００２４】
以下、添付図面を参照して本発明の具体例としての実施形態を説明する。特に明記しない限り様々な実施形態の特徴を互いに組み合わせることができる。
【００２５】
図１は、複数のセル（図１の六角形を参照）を有する通信ネットワーク１を示していて、本発明の一実施形態に従ってユーザ通信装置１０へのページングは実行される。ユーザ通信装置１０は、通信ネットワーク１を介して他の装置と通信することができ、すなわち通信ネットワーク１を介してデータもしくは信号の一方または双方を送受信することができる任意の装置であり得る。ユーザ通信装置１０は、移動型もしくは静止装置であり得る。
【００２６】
通信は無線で実行される、すなわち通信ネットワーク１は無線セルラ通信ネットワークである。通信は、少なくとも１の通信プロトコルの利用により実行される。通信ネットワーク１は、一実施形態に従ってＬＴＥまたはＬＴＥのアーキテクチャに基づく通信ネットワークである。ＬＴＥのアーキテクチャは、進化型パケットシステム（ＥＰＳ；Ｅｖｏｌｖｅｄ  Ｐａｃｋｅｔ  Ｓｙｓｔｅｍ）とも呼ばれる。しかしながら、本発明は、ＬＴＥまたはＬＴＥベースの通信ネットワークに限定されない。本発明は、セルを含むさらなる通信ネットワーク、または、セルラーネットワークにおいても実施されることができる。
【００２７】
ユーザ通信装置１０が、軽接続モード、ドーマントモード、アイドルモード、スリープモード、ハイバネーションモード、スタンバイモード、また、他のいかなる省電力モードでもない場合、ユーザ通信装置１０は、アクティブモード、例えば接続モード、にある。アクティブモードまたは接続モードでは、ユーザ通信装置１０は、さらなる通信装置（例えばさらなるユーザ通信装置）との通信の確立、通信ネットワーク１を介する通信、および、さらなる通信装置との通信が可能である。アクティブモード、例えば接続モードでは、ユーザ通信装置１０の位置は知られている。従って、ユーザ通信装置１０が配置されている通信ネットワーク１のセル１１も知られている。ユーザ通信装置１０が軽接続モード、ドーマントモード、アイドルモード、スリープモード、ハイバネーションモード、スタンバイモード、もしくは他の任意の省電力モードのいずれかまたは複数に切り替わり次第、ユーザ通信装置１０の位置は、知られる必要が無くなる。ユーザ通信装置１０が、軽接続モード、ドーマントモード、アイドルモード、スリープモード、ハイバネーションモード、スタンバイモード、もしくは他の任意の省電力モードのいずれかまたは複数にある場合、ユーザ通信装置１０は、アクティブモード、例えばデータもしくは信号の一方または双方を送信するための接続モードに切り替わることができる。しかしながら、ユーザ通信装置１０に送信されるデータもしくは信号の一方または双方は、ユーザ通信装置１０がアクティブモード、例えば接続モードに切り替わるまで収集または保留されることが多い。例えば、ＬＴＥネットワークでは、ユーザ通信装置１０に送信されるデータもしくは信号の一方または双方は、ユーザ通信装置１０が起動されるまでサービングゲートウェイ（Ｓ−ＧＷ）に収集される。ユーザ装置１０に送信されるデータもしくは信号の一方または双方が存在する場合、すなわちユーザ装置１０のダウンリンクデータが存在する場合、ユーザ通信装置１０の起動は、例えばページング機能によって開始される。ページング手続きでは、データもしくは信号の一方または双方、ならびに、特にダウンリンクデータ受信、のためのユーザ通信装置１０の起動を開始するために、ページングメッセージと呼ばれるメッセージが通信ネットワーク装置からユーザ通信装置１０に送信される。ユーザ通信装置１０は、ページングメッセージの受信の返答において、アクティブモード、例えば当該データもしくは当該信号の一方または双方を受信するための接続モード、に切り替わる。
【００２８】
図１では、軽接続モード、ドーマントモード、アイドルモード、スリープモード、ハイバネーションモード、スタンバイモード、もしくは他の電力節約モードの一方または複数に切り替える前にユーザ通信装置１０がアクティブであった通信ネットワーク１の最新のセルは、太線で強調表示されているモードはセル１１である。ユーザ通信装置１０の起動後、ユーザ通信装置１０が前回のアクティブモード中に最後に位置していた、もしくは、ユーザ通信装置１０が最後に到達可能であった、の一方または双方であった最新のセル１１が、ユーザ通信装置１０が現在位置しているセルに再びなることは保証されない。非アクティブモード（例えば、軽接続モード、ドーマントモード、アイドルモード、スリープモード、ハイバネーションモード、スタンバイモード、もしくは任意の他の省電力モードのいずれかまたは複数）中に、ユーザ通信装置１０は、別のセルに移動する可能性がある。ユーザ通信装置１０の起動が通信ネットワーク装置によるユーザ通信装置１０へのページングメッセージの送信を要求とするため、通信ネットワーク１のエリアは、ユーザ通信装置１０がページングメッセージの送信の時間に存在しなければいけないか、または検出されなければならない。
【００２９】
上述したように、本発明が実施できる通信ネットワークは、例えば、ＬＴＥまたはＬＴＥベースのネットワークとすることができる。
【００３０】
図２は、本発明の実施形態によるユーザ通信装置１０へのページング（すなわち、ページングメッセージの送信）を実行するように構成される通信ネットワーク装置２を示す。一実施形態によれば、通信ネットワーク装置２は、基地局（ＢＳ）またはイーノードビー（ｅＮｏｄｅＢまたはｅＮＢ）である。一実施形態によれば、通信ネットワーク装置２は、通信ネットワーク１の（少なくとも）１の所定のセル内に配置される。一実施形態によれば、通信ネットワーク装置２は、通信ネットワーク１の少なくとも１のセルにサービングするように構成される。また、通信ネットワーク装置２は、過半数のセルまたは複数のセル、例えば少なくとも２つのセルにもサービングし得る。サービングは、例えば、少なくとも１つのセルにおけるデータもしくは信号の一方または双方の送信の管理、編成、および実行をいう。
【００３１】
図２の一実施形態によれば、図２に示すように、通信ネットワーク装置２は、通信ネットワーク１内でデータもしくは信号の一方または双方を送信するように構成される送信機２１を備える。さらに本実施形態によれば、通信ネットワーク装置２は、通信ネットワーク１においてデータもしくは信号の一方または双方を受信するように構成される受信機２２を備える。したがって、本実施形態によれば、通信ネットワーク装置２は、データもしくは信号の一方または双方を、受信機２２を介して受信する。送信機２１および受信機２２は、単一のユニット２３に組み込まれてもよい。データもしくは信号の一方または双方の送信もしくは受信の一方または双方を実行するユニット２３は、例えばトランシーバまたはモデムであり得る。
【００３２】
さらに、本実施形態によれば、通信ネットワーク装置２は、通信ネットワーク装置２のステップもしくは動作を実行するように構成されるプロセッサ２４を備える。特に、プロセッサ２４は、対応する構成２１から２３により実行される上述したような送信もしくは受信の一方または双方とは独立して、本明細書に記載のステップおよび動作を実行するように構成される。
【００３３】
図３は、本発明の実施形態に従ってページングを実行するために実行されるステップのフローチャートを示す。図３のステップは、通信ネットワーク装置２により（基本的に）実行される。
【００３４】
ステップ３０では、隣接セル測定が通信ネットワーク装置２により受信される。
【００３５】
隣接セル測定は、ユーザ通信装置１０の１または２以上の隣接セルに関して実行された測定である。本発明の一実施形態によれば、隣接セル測定は、アクティブまたは接続モードまたは状態にあるユーザ通信装置１０により通信ネットワーク装置２に提供または送信される。一実施形態によれば、隣接セル測定は、アクティブまたは接続のモードまたは状態のユーザ通信装置１０により実行される。一実施形態では、ユーザ通信装置１０は、（アクティブである場合）定期的に、すなわち所定の間隔で（例えば周期的にまたは所定の時点で）、当該ユーザ通信装置１０の隣接セルに関して実行された測定を報告する。例えば、一実施形態では、ユーザ通信装置１０は、２００ｍｓ毎に隣接セル測定を通信ネットワーク装置１０に送信する。
【００３６】
隣接セル測定は、ユーザ通信装置１０に特有または固有であり、当該測定が実行された時点でのユーザ通信装置１０の実際のもしくは現在の無線環境に依存する。したがって、隣接セル測定は、ユーザ通信装置１０が現在（すなわち測定の実行時に）位置する現在のセル１１の隣接セルに関する情報を含む。この情報、すなわち隣接セル測定は、一実施形態によれば、それぞれの（関連する）隣接セルについて、それぞれの隣接セルにおけるユーザ通信装置１０の信号の信号強度もしくはそれぞれの隣接セルにおけるユーザ通信装置１０の信号の測定信号品質の測定（すなわち値）を含む。一実施形態によれば、隣接セル測定は、それぞれの（関連する）隣接セルに関して、基準信号受信電力（ＲＳＲＰ）および基準信号受信品質（ＲＳＲＱ）の２つのパラメータのうちの少なくとも一方を含む。ＲＳＲＰおよびＲＳＲＱの双方は、例えばＬＴＥネットワークにおいて測定され、故に当業者にとって既知のパラメータである。本発明がＲＳＲＰおよびＲＳＲＱのみに限定されず、さらなる考察のためにさらなるパラメータを測定し、隣接セル測定に挿入され得ることに留意すべきである。
【００３７】
本実施形態によれば、ステップ３１において、隣接セル測定のセルのランク付けが実行される。セルのランク付け３１は、それぞれのセルに関して測定された値やパラメータを考慮して実行される。隣接セル測定が隣接セル測定の隣接セルについて測定されたパラメータまたは値として信号強度もしくは信号品質の一方または双方を含む場合、ランク付け３１は、それぞれ信号強度もしくは信号品質の一方または双方に関して実行される。ランク付け３１は、より高い信号強度もしくはより高い信号品質の一方または双方を有する隣接セルがより高くランク付けられるように実行される。セルのランク付け３１を行うために２以上のパラメータが利用される場合（例えば、信号強度と信号品質の両方が考慮される場合）、ランク付けパラメータ自体（例えば、信号強度と信号品質）は、まず、セルの主なまたは一次ランク付けが、より高いランク付けを有するパラメータに関して実行され、セルのさらなるランク付け３１が次点のランクを有するさらなるパラメータに関して実行されるようにランク付けされる。
【００３８】
上述したように、ユーザ通信装置１０がアクティブではない、例えばそれぞれの接続モードもしくは状態にない場合、ユーザ通信装置１に送信されるデータもしくは信号の一方または双方は、ユーザ通信装置１０への送信のために収集される。ユーザ通信装置１０がアクティブでない、例えば、アクティブもしくは接続のモードまたは状態にない場合、ならびに、データもしくは信号の一方または双方、特にユーザ通信装置１０に送信されるダウンリンクデータが存在する場合、ステップが実行される。
【００３９】
ステップ３２において、通信ネットワーク装置２は、ユーザ通信装置１０へのデータもしくは信号の一方または双方の送信が実行されるべきか、または、されなければならないかを決定する。当該決定３２は、ページングメッセージの送信のために利用される期間を指定する現スケジュール、もしくは、ユーザ通信装置１０に送信されるデータもしくは信号の一方または双方の存在、の一方または双方を考慮して実行されることができる。
【００４０】
ステップ３３において、通信ネットワーク装置２は、ページングメッセージをユーザ通信装置１０に送信する。本実施形態によれば、ページングメッセージは、最初に、ユーザ通信装置１０に到達することが想定されるかまたは予測される少なくとも１つの追加のセルに関して、ユーザ通信装置１０の最新の既知のセル１１もしくはいくつかの（少なくとも１の）セルにおいて送信３３がされる。
【００４１】
ステップ３３で実行されたユーザ通信装置１０へのページングが成功した場合（３４）、例えば、ユーザ通信装置１０がページングメッセージを示すための通信ネットワーク装置２に返答する場合、データもしくは信号の一方または双方のユーザ通信装置１０への送信は、開始され得る（３５）。一実施形態によれば、データもしくは信号の一方または双方は、通信ネットワーク装置２により、もしくは、を介して、ユーザ通信装置１０に送信される（３５）。
【００４２】
ページング３３が成功しなかった場合（３４）、例えば、通信ネットワーク装置２がページングメッセージの受信を示す応答をユーザ通信装置１０から受信しなかった場合、ユーザ通信装置１０の存在もしくは到達可能性の一方または双方が期待される通信ネットワークセルグループが決定される（３６）。
【００４３】
ユーザ通信装置１０の到達可能性が予想または仮定される、すなわち、ユーザ通信装置１０がデータもしくは信号の一方または双方を受信することができ、つまりそれぞれの当該グループまたはページングエリアのセルのうちの少なくとも１つにおいてページングメッセージを受信することができると所定の確率で予想または想定される場合、通信ネットワークセルグループの決定３６は、通信ネットワークセルのグループを含むページングエリアの決定３６とも呼ばれることができる。
【００４４】
図４ａは、一実施形態によるユーザ通信装置１０へのページングを実行するための通信ネットワークセルグループを決定するために実行されるステップ３６のフローチャートを示す。当該ステップは、（基本的に）通信ネットワーク装置２によって実行される。上述したように、当該ステップは、ユーザ通信装置１０がアクティブではない、例えばアクティブまたは接続のモードや状態でない場合、並びに、データもしくは信号の一方または双方、特にユーザ通信装置１０に送信される下りデータ、が存在する場合に実行される。
【００４５】
ステップ４１において、隣接セル測定が取得される。通信ネットワーク装置２が隣接セル測定を取得する際、通信ネットワーク装置２により受信された最新の隣接セル測定３０が取得される。一実施形態によれば、通信ネットワーク装置２は、受信された隣接セル測定のセルのランク付け３１を行い、ランク付けされた隣接セル測定を格納する。ステップ４１において、通信ネットワーク装置２は、記憶装置から、殆ど最近または最後に受信された（３０）隣接セル測定を取得する。一実施形態によれば、最新の隣接測定のセルは、上述のようにランク付け３１がされる。したがって、通信ネットワーク装置２は、ユーザ通信装置１０に関する最新の情報および特に通信ネットワーク１内のユーザ通信装置１０の位置に関する最新の情報に基づいて、通信ネットワークセルグループを決定する（３６）。
【００４６】
ステップ４２において、通信ネットワークセルグループは初期化される、すなわち、通信ネットワークセルグループは、最初は空である。ステップ４１で取得された隣接セル測定は、隣接セルを上記グループに追加するために利用される。特に、隣接セル測定に含まれる隣接セルは、ステップ４２において、通信ネットワークセルグループまたはページングエリアにそれぞれ追加される。ステップ４２は、通信ネットワーク装置２により実行される。ランク付け３１が隣接セル測定に関して実行された場合、当該セルは、それらのランク付けに関して通信ネットワークセルグループ内に存在する、すなわちランク付けされたセルを有する通信ネットワークセルグループが存在する。
【００４７】
図４ｂは、さらなる実施形態によるユーザ通信装置１０へのページングを実行するための通信ネットワークセルグループを決定するために実行されるステップ３４のフローチャートを示す。前記ステップは、（基本的に）通信ネットワーク装置２によって実行される。上述したように、当該ステップは、ユーザ通信装置１０がアクティブではない、例えばアクティブまたは接続のモードや状態にない場合、およびデータもしくは信号の一方または双方、特にユーザ通信装置１０に送信されるダウンリンクデータ、が存在する場合に実行される。
【００４８】
図４ｂの実施形態は、通信ネットワークセルグループもしくはページングエリアをそれぞれ決定するためのさらなるパラメータもしくは基準が利用される図４ａの実施形態とは区別される。図４ｂの実施形態によれば、ユーザ通信装置１０へのページングを実行するための通信ネットワークセルグループの決定３４は、上述したステップ４１、４２を含む。
【００４９】
ステップ４４において、セルを通信ネットワークセルグループもしくはページングエリアにそれぞれ追加するためのさらなる基準もしくはパラメータの一方または双方が考慮に入れられる。さらなるパラメータもしくは基準の一方または双方は、例えば、通信ネットワーク１内のユーザ通信装置１０の有効期間、ユーザ通信装置１０の移動度、ユーザ通信装置１０の種類、履歴ページング成功、もしくはユーザ通信装置１０の移動履歴のいずれかまたは２つ以上を含む。
【００５０】
一実施形態によれば、ユーザ通信装置１０の種類は、ユーザ通信装置１０が静止装置であるか非静止装置であるかを指定する。静止ユーザ通信装置１０の場合、最新のセル１１に近接して位置するセル（例えば、隣接セル測定の実行時にユーザ通信セル１０の現在位置であったセルもしくはユーザ通信装置が最近到達可能であったセルの一方または双方）は、通信ネットワークセルグループに追加的に追加される。非静止ユーザ通信装置１０の場合、最後のセル１１に近接していないが遠くに位置しているセルが、通信ネットワークセルグループに追加的に追加される。ここで、例えば、最新のセル１１からの最小もしくは最大距離の一方または双方に対する閾値を使用して、追加されるセルを決定することができる。
【００５１】
一実施形態によれば、ユーザ通信装置１０が固定装置である場合、最新のセル１１に近いセルが通信ネットワークセルグループに追加される。一実施形態によれば、セルと最新のセル１１との間の距離が所定の最大距離閾値より小さいか否かが判定される。もしそうであれば、当該セルは通信ネットワークセルグループに追加される。
【００５２】
一実施形態によれば、ユーザ通信装置が非静止装置である場合、最新のセル１１までの距離が所定の最小距離閾値より大きいか否かが判定される。もしそうであれば、当該セルは通信ネットワークグループに追加される。
【００５３】
一実施形態によれば、履歴ページングの成功が考慮に入れられる。ここで、以前実行されたページングイベント履歴が考慮される。そのうえ、通信ネットワークセルグループには、少なくとも１のページングイベントまたは所定数のページングイベントが成功したセルも追加される。
【００５４】
一実施形態によれば、通信ネットワーク１内のユーザ通信装置１０の移動履歴が考慮される。ここで、ユーザ通信装置１０の移動履歴に従って予想されるユーザ通信装置１０が、通信ネットワークセルグループに追加される。例えば、ユーザ通信装置１０が所定のセル内に頻繁に（例えば少なくとも所定の回数）存在した場合、もしくはユーザ通信装置１０が所定のセルへ頻繁に（例えば少なくとも所定の回数）ハンドオーバした場合、当該所定のセルが通信ネットワークセルグループに追加される。
【００５５】
一実施形態によれば、ユーザ通信装置１０の移動度が考慮される。ここで、ユーザ通信装置１０の以前の位置の履歴の利用もしくは最後のセル１１の利用の一方または双方により、通信ネットワーク１内のユーザ通信装置１０の移動の方向もしくは速度の一方または双方が決定される。このデータの利用により、ユーザ通信装置１０のおおよその位置が決定され、またおおよその位置により覆われる対応するセルが通信ネットワークセルグループに追加される。したがって、ユーザ通信装置１０の移動の追跡は、ユーザ通信装置１０のおおよそのもしくは予想される位置を決定し、また対応するセルを通信ネットワークセルグループに追加するために実行される。移動基準に従って、ユーザ通信装置１０が低い移動度を有し、また基本的に少数のセル間を移動している場合、ページングが成功する可能性がある潜在的なセルの数は、より高いまたは高い移動度を有するユーザ通信装置と比較して少ない。
【００５６】
別の実施形態によれば、（例えば、ＬＴＥ規格において定義されているように）セルクラスタもしくは追跡領域の一方または双方のセルも通信ネットワークセルグループに追加することができる。ここでも、例えば、上述した基準を適用することができる。単一のセルを挿入する代わりに、複数のセル（例えば、クラスタのセルもしくは追跡領域のセルの一方または双方）が挿入される。ここで、セルクラスタは、通信ネットワークセルのクラスタもしくはグループである。一実施形態によれば、セルクラスタは、追跡領域内に配置され、すなわち追跡領域に含まれるセルを含む。したがって、セルクラスタは、追跡領域のセル数よりも少ないセル数を表し、すなわち、セルクラスタは追跡領域よりも小さい。上述したように、一実施形態によれば、セルクラスタは追跡領域の一部である。
【００５７】
一実施形態によれば、どのくらい古い隣接セル測定が存在するかを示す有効タイマが使用される。したがって、より古い隣接セル測定のセルは、より若い隣接セル測定のセルよりも低いランク付けもしくはページングに適するより低い可能性の一方または双方を受信する。ここで、測定時間を区別するために、異なる（例えば少なくとも１の）閾値を使用することができる。したがって、所定の時間範囲内にある時間に実行された測定および当該測定のセルは対応する範囲もしくは所定の時間範囲に関連する確率の一方または双方を受信することになる。
【００５８】
ステップ４４に関して上述した実施形態は様々な方法で互いに組み合わせることができる。
【００５９】
ステップ４５において、通信ネットワークセルグループのセルのランク付けが実行される（図３のステップ３１ｆも参照）。ランク付け４５は、上述したパラメータもしくは基準の一方または双方を考慮して実行される。さらに、ランク付け４５は、図３の実施形態のステップ３１に関して上述した同様の方法で実行される。
【００６０】
ステップ３６の実行後、すなわち通信ネットワークセルグループの決定後、ステップ３７において、通信ネットワークセルグループの少なくとも１のセルに関してページングが実行される。セルのランク付け３１、４５が通信ネットワークセルグループ内で実行されていた場合、ページングメッセージは、最高のランクを有する少なくとも１のセルに送信される（３７）。ランク付けの結果は、同じランク値を有する複数のセルをもたらされる可能性がある。一実施形態によれば、ページング３７は、通信ネットワークセルグループ内で最高のランクを有するセルのサブグループに対して行われ得る。一実施形態によれば、セルのサブグループはセルを含み、その順位は予め定められた範囲内にある。
【００６１】
ページング３７が成功すると（３８）、データもしくは信号の一方または双方の送信が開始される（３５）。
【００６２】
しかし、ページング３７が成功しなかった場合（３８）、通信ネットワークセルグループの少なくとも１のさらなるセルに関してページングが実行されるステップ３９が実行される。セルのランク付け３１、４５が通信ネットワークセルグループ内で実行されていた場合、ページングメッセージは、次に低いランクを有する少なくとも１つのセルに送信される（３９）。一実施形態によれば、ページング３９も、通信ネットワークセルグループ内で次に低いランクを有するセルのサブグループに対して行うことができる。上述したように、一実施形態によれば、セルのサブグループはセルを含み、その順位は所定の範囲内にある。
【００６３】
ページング３９が成功しなかった場合（３８）、すなわち通信ネットワークセルグループのすべてのセルで失敗し、グループ内にステップ３９を実行するためのそれ以上セルが残っていない場合、通信ネットワークセルグループは上記で説明したステップ４４を実行することにより拡張できる。この場合、さらなる基準もしくはパラメータの一方または双方を使用して、さらなるネットワークを通信ネットワークセルグループに追加することができる。必要に応じて、通信ネットワークセルグループに追加されたさらなるセルのランク付け４５を実行することができる。次に、通信ネットワークセルグループ内のさらに追加されたセルに関する手順が、ステップ３７で継続される。
【００６４】
一実施形態によれば、通信ネットワークセルグループにセルをさらに追加することが望まれないかもしくは可能でない場合、ページングは、既知のページングの方法のうちのいずれか、例えばＬＴＥネットワークの従来のページングを実行することにより継続されることができる。他の実施形態によれば、通信ネットワーク装置２は、他の通信ネットワーク装置と交信し、上述したように他の通信ネットワーク装置にページングの実行を要求する。
【００６５】
図５ａおよび図５ｂは、通信ネットワーク１がＬＴＥネットワークのアーキテクチャに基づいているときに、本発明の一実施形態によるユーザ通信装置１０へのページングに関して実行されるステップのフローチャートを示す。
【００６６】
図５は、本発明の一実施形態に従ってユーザ通信装置１０へのページングが実行されることに基づくＬＴＥネットワークの例示的なアーキテクチャを示す。ＬＴＥネットワークのアーキテクチャ、すなわちＥＰＳは既知であり、対応する構成要素のさらなる説明は不要であると仮定する。本実施形態によれば、通信ネットワーク装置２はｅＮＢであり、ユーザ通信装置１０はそれぞれ通信ネットワーク１もしくはＬＴＥに接続されているユーザ機器（ＵＥ）である。
【００６７】
ステップ５０１において、ユーザ通信装置１０は、アクティブモードもしくは接続モード（例えば、ＲＲＣ＿ＣＯＮＮＥＣＴＥＤ状態）にあり、隣接セル測定を実行する。ステップ５０２において、ユーザ通信装置１０は、まだアクティブモードもしくは接続モードにあり、隣接セル測定をｅＮＢ２に報告する。隣接セル測定は、例えば潜在的なハンドオーバについて報告されることができる。ステップ５０３において、ｅＮＢ２は、ユーザ通信装置１０により報告された隣接セル測定を受信して記憶する。また、上述したように、一実施形態によれば、ｅＮＢ２は、ランク付けされたセルの隣接セル測定が記録されているストレージの前に隣接セル測定のセルをランク付けする（３１）。
【００６８】
ステップ５０４において、ユーザ通信装置１０は接続を終了し、接続は中断される。中断された接続に応答して、ステップ５０５において、ｅＮＢ２はユーザ通信装置１０の無線アクセスネットワーク（ＲＡＮ）コンテキストを記憶する。記憶されたＲＡＮコンテキストを使用することにより、ｅＮＢはユーザ通信装置１０との接続をより早く再開できるようになる。
【００６９】
ステップ５０６において、ｅＮＢ２は、本実施形態によれば、ＬＴＥで使用されるように、「軽接続」モードまたは状態にユーザ通信装置２のモードもしくは状態を定義する。ここで、本発明は「軽接続」モードもしくは状態に限定されないことに留意すべきである。ドーマントモード、アイドルモード、スリープモード、ハイバネーションモード、スタンバイモードまたは他の任意の省電力モードのようなさらなるモードも可能であり、代わりに使用することができる。
【００７０】
「軽接続」モードもしくは状態の定義後、ユーザ通信装置１０は「軽接続」状態で通常のアイドルモードタスクを実行する。
【００７１】
ステップ５０７において、サービングゲートウェイ（Ｓ−ＧＷ）５２において、ダウンリンクデータが受信される。これに応答して、ステップ５０８において、Ｓ−ＧＷ５２はダウンリンクデータ通知を、モビリティ管理エンティティ（ＭＭＥ）５１に送信する。ＭＭＥ５１は、ステップ５０９においてダウンリンクデータ通知を受信する。
【００７２】
ダウンリンクデータ通知の受信５０９に応答して、ＭＭＥ５１は、ステップ５１０において、ページング要求メッセージをｅＮＢ２に送信する。ページング要求メッセージは、ユーザ通信装置１０の最新のセル１１に関する情報、すなわちユーザ通信装置１０がステップ５０４で接続が中断される前に配置されていたセルに関する情報を含む。一実施形態によれば、最新のセル１１に関する情報は、ＩＤ、すなわち通信ネットワーク１内の最新のセル１１の識別情報を含む。
【００７３】
ステップ５１１において、ｅＮＢ２はページング要求メッセージを受信する。ページング要求メッセージの受信５１１は、通常上述したステップ３２に対応する。ページング要求メッセージの受信５１１に応答して、ｅＮＢ２は上述したようにページングの実行を開始する。したがって、ステップ５１２において、ｅＮＢ２は、ステップ３３に関して上述したように、ページングメッセージを最新の既知のセル１１もしくはいくつかの追加のセルに送信する。
【００７４】
ステップ５１３によって示されるように、ユーザ通信装置１０がページングメッセージに応答しない場合、ページングの試みは成功しなかった（図３のステップ３４からステップ３５へのＮＯ分岐を参照すること）、ステップ５１４におけるページングの実行のためのより大きな数のセルに対するｅＮＢ２はセルの段階的拡大を開始する。したがって、ステップ５１４において、ｅＮＢ２は、ステップ３６に関して上述したように、通信ネットワークセルグループもしくはページングエリアをそれぞれ決定する。通信ネットワークセルグループは、ＩＤ、すなわち通信ネットワーク１のそれぞれのセルの識別情報を含む。
【００７５】
通信ネットワークセルグループもしくはページングエリアそれぞれの決定５１４の後、ｅＮＢ２は、図５のステップ３７、３８、および３９に関して上述したように、ステップ５１５においてページングメッセージを送信する。
【００７６】
本実施形態によれば、ユーザ通信装置１０は、ステップ５１６で送信されたページングメッセージのうちのいずれかを受信する。ページングメッセージの受信５１６に応答して、ユーザ通信装置１０はアクティブモードもしくは接続モードに切り替わる。アクティブモードもしくは接続モードでは、ユーザ通信装置１０は、Ｓ−ＧＷ５２においてユーザ通信装置１０の起動まで一時的に記憶されたダウンリンクデータを使用または受信することができる。また、さらなるデータもしくは信号の一方または双方をユーザ通信装置１０によりアクティブモードもしくは接続モードで受信することができる。
【００７７】
ページングメッセージの受信５１６に応答して、ユーザ通信装置１０は、ステップ５１７で対応する応答を送信する。ステップ５１８において、ｅＮＢ２はユーザ通信装置１０からの応答を受信する。上述したように、ユーザ通信装置１０からの応答の受信５１８は、ページングが成功したこと、および、ユーザ通信装置へのデータもしくは信号の一方または双方の送信の開始が可能であることをｅＮＢ２に示す（図３のステップ３８および３５の上記説明も参照すること）。
【００７８】
ページングメッセージが受信されたセルが、通信ネットワーク１のさらなるｅＮＢによりサービングされる場合、ｅＮＢは、ステップ５０５において記憶されたＲＡＮコンテキストを通信ネットワーク１のさらなるｅＮＢへ送信を実行する。一実施形態によれば、ＬＴＥアーキテクチャの使用の観点において、当該送信は、ＬＴＥネットワークのアーキテクチャにおける２つのｅＮＢ間の通信のためのインタフェースとして、一般に知られているＸ２インタフェースを介して実行される。
【００７９】
図６は、通信ネットワーク１がＬＴＥネットワークのアーキテクチャに基づいているときに、本発明の本実施形態によるユーザ通信装置１０へのページングに関して実行されるステップのフローチャートを示す。特に、決定された通信ネットワークセルグループのセルへのページングメッセージの送信５１５が失敗した場合、すなわち決定された通信ネットワークセルグループのセルのいずれもがページングメッセージを受信していない場合、図６の処理が実行される。このようにして、図６のステップは、図５のステップ５１５に続く。
【００８０】
決定された通信ネットワークセルグループのセルへのページングが失敗した場合、ステップ６１で、ｅＮＢ２は、ページングが失敗したことをＭＭＥ５１に通知する。一実施形態によれば、ＭＭＥ５１の上記通知６１は、ＭＭＥ５１からｅＮＢ２に対するステップ５１０でのＭＭＥ５１のページング要求メッセージに対する応答を表す。一実施形態によれば、当該応答６１は明示的であり、すなわち対応する応答メッセージと共に送信される。別の実施形態によれば、応答６１は、例えばページングの実行に関して設定され、期限が切れたタイマを考慮すると、暗黙的である。タイマが切れた後、ＭＭＥ５１はページングがファイルされたことを通知される（６１）。ステップ６２において、ＭＭＥ５１は、ページングが失敗したという情報を（暗黙的にもしくは明示的に）受信する。
【００８１】
ページングの失敗に関する情報の受信６２に応答して、ステップ６３において、ＬＴＥネットワークにおいて従来実行されていたようなページングがＭＭＥ５１により開始される。
【００８２】
ＬＴＥネットワークでは、セルは追跡領域に纏められる。従来のＬＴＥページングによれば、最初にページングメッセージが、最新のセル１１が位置する追跡領域に送信される。この目的のために、ＭＭＥ５１はページングメッセージを追跡領域の全てのｅＮＢに送信し、対応するｅＮＢはページングメッセージをｅＮＢがサービングするセルに送信する。上記ページングが失敗した場合、ＭＭＥ５１は、通信ネットワーク１のさらなる追跡領域に関してもページングを実行する。したがって、ＭＭＥ５１は、対応する追跡領域の全てのｅＮＢにページングメッセージを送信し、当該追跡領域のｅＮＢはページングメッセージをｅＮＢによってサービングされるセルへ送信する。
【００８３】
上記した実施形態は、組み合わせが明示的に除外されていない限り、互いに組み合わせることができることに留意すべきである。さらに、どちらかといえば通常開示されているステップは、図５ａ、図５ｂ、図６のより具体的なステップと組み合わせることができる。異なる抽象化レベルは互いを補完する。
【００８４】
加えて、図５ａ、５ｂ、および図６は、ＬＴＥネットワークのアーキテクチャに関して説明されているが、この教示はもう１つの具体的な実装方法を表すことに留意すべきである。図５ａ、５ｂ、および図６の原理およびステップは、ユーザ通信装置１０を起動するためのページングを利用するさらなるネットワークにも対応して転移可能である。当該起動は、例えばユーザ通信装置１０と通信するため、例えばデータもしくは信号の一方または双方をユーザ通信装置１０に送信するために実行される。
【００８５】
したがって、本発明は、ユーザ通信装置へのページングを実行するために通信ネットワーク内の通信ネットワークセルグループを決定するように構成される通信ネットワーク装置および方法に関し、通信ネットワークセルグループは、ユーザ通信装置により提供される隣接セル測定の利用により決定される。また、本発明は、対応するように構成されるコンピュータプログラム製品および対応するように構成されるコンピュータ可読記録媒体に関する。
【００８６】
本発明をいくつかの好ましい実施形態に関して示し説明したが、本明細書を読み理解することにより、当業者には均等物および変形物が思い浮かぶであろう。本発明は、そのような均等物および変形物をすべて含み、以下の特許請求の範囲によってのみ限定される。
【図１】
2019520740.tif 000003
【図２】
2019520740.tif 000004
【図３】
2019520740.tif 000005
【図４ａ】
2019520740.tif 000006
【図４ｂ】
2019520740.tif 000007
【図５ａ】
2019520740.tif 000008
【図５ｂ】
2019520740.tif 000009
【図６】
2019520740.tif 000010
【国際調査報告】
2019520740.tif 000011
2019520740.tif 000012
2019520740.tif 000013